【事件の表示】
　特願２００７−５５６８９７「血液検査装置および血液検査方法」拒絶査定不服審判事件〔平成１９年　８月　９日国際公開、ＷＯ２００７／０８８９０５、請求項の数（１５）〕について、次のとおり審決する。
【結　論】
　原査定を取り消す。
　本願の発明は、特許すべきものとする。
【理　由】
第１　手続の経緯
　本願は、平成１９年１月３１日に出願したものであって、平成２４年２月１７日付けで拒絶査定がなされ、これに対し、同年５月１０日に拒絶査定不服審判の請求がなされるとともに，同日付けにて手続補正（以下、「本件補正」という。）がなされたものである。
　さらに、平成２５年３月１３日付けで審尋がなされ、回答書が同年５月１０日付けで請求人より提出されたものである。
　
第２　本件補正についての補正の却下の決定　 
［補正の却下の決定の結論］　 
　平成２４年５月１０日付け手続補正を却下する。　 
　　 
［理由］　 
１　補正後の本願発明　 
　本件補正により，特許請求の範囲は、
　「【請求項１】
　開口部を有するハウジング；前記開口部内に配置された穿刺手段；前記開口部前面への被穿刺部位の接触を検知する第一の検知手段；前記開口部内を負圧する負圧手段；前記負圧手段により前記開口部内が負圧された後に、前記穿刺手段によって穿刺された被穿刺部位から流出する血液を採取する血液センサ；前記血液中の成分を分析する前記血液センサから得られる信号を測定する測定回路を備え、
　
前記穿刺手段は、前記ハウジング内を往復するプランジャに一端を把持されるランセット、および前記ランセットの他端に装着される採血針を含み、
かつ前記ランセットが前記ホルダに固定された状態で、
　
前記採血カートリッジが、前記開口部に装着される際に、前記ランセットが前記プランジャに保持され、かつ前記ランセットと前記ホルダとの固定が解除されるように構成され、
　前記採血カートリッジの前記開口部の内部への移動によって、前記第一の検知手段が前記開口部前面への被穿刺部位の接触を検知し、かつ前記第一の検知手段が前記検知をしたときに前記負圧手段を起動させる血液検査装置。
【請求項２】
　前記負圧手段は、前記第一の検知手段が前記開口部前面への被穿刺部位の非接触を検知したときに停止する、請求項１に記載の血液検査装置。
【請求項３】
　前記第一の検知手段は、前記被穿刺部位によって前記採血カートリッジが前記開口部内の方向へ押し込まれたことを検知する、請求項１に記載の血液検査装置。
【請求項４】
　前記第一の検知手段は、前記開口部内に設けられたメカニカルスイッチであって、かつ前記被穿刺部位によって前記採血カートリッジが開口部内の方向へ押し込まれると押圧される、請求項１に記載の血液検査装置。
【請求項５】
　前記第一の検知手段は、前記開口部内に設けられた電気センサまたは光センサであって、かつ前記被穿刺部位によって前記採血カートリッジが前記開口部内の方向へ押し込まれることによる電気的変化または光学的変化を検知する、請求項１に記載の血液検査装置。
【請求項６】
　前記負圧により前記被穿刺部位が盛り上げられ、前記採血カートリッジが前記開口部の内部へ移動することによって、前記被穿刺部位の盛り上がりを検知する第二の検知手段をさらに有する、請求項１に記載の血液検査装置。
【請求項７】
　前記穿刺手段は、前記第二の検知手段が、前記採血カートリッジが前記開口部の内部へ移動することによって、被穿刺部位の盛り上がりを検知した後に穿刺する、請求項６に記載の血液検査装置。
【請求項８】
　前記第二の検知手段は、前記盛り上げられた被穿刺部位により前記採血カートリッジが前記開口部内に押し込まれたことを検知する、請求項６に記載の血液検査装置。
【請求項９】
　前記血液センサは、前記穿刺手段により穿刺された被穿刺部位から流出する血液が導かれる貯留部；前記貯留部に一端が連通し、前記貯留部の血液が流入する供給路；前記供給路内に設けられ、検出電極が配置された検出部；前記供給路の他端に連通する空気孔を有し、
　前記負圧手段は、前記空気孔を介して前記供給路内を負圧して、前記貯留部の血液の前記供給路内への流入を助長する、請求項１に記載の血液検査装置。
【請求項１０】
　前記血液センサは、前記穿刺手段により穿刺された被穿刺部位から流出する血液が導かれる貯留部；前記貯留部に一端が連通し、前記貯留部の血液が流入する供給路；前記供給路内に設けられ、検出電極が配置された検出部；前記供給路の他端に連通する空気孔を有し、
　前記負圧手段は、前記空気孔を介して前記供給路内を負圧して、前記貯留部の血液の前記供給路内への流入を助長する、請求項６に記載の血液検査装置。
【請求項１１】
　前記負圧手段は、前記検出電極が前記血液の供給路への流入を検知すると停止する、請求項９または１０に記載の血液検査装置。
【請求項１２】
　前記開口部に装着された前記採血カートリッジの穿刺手段と血液センサは、相対的に移動可能に保持される、請求項１に記載の血液検査装置。
【請求項１３】
　前記第一の検知手段は、前記開口部に装着された前記採血カートリッジの血液センサが、前記開口部内の方向へ移動したことを検知する、請求項１に記載の血液検査装置。」　 
と補正された。（下線は補正箇所を示す。）　 
　
２　判断
　補正後の請求項１に係る発明は，補正前の請求項１に係る発明の「前記血液センサと前記穿刺手段とがホルダと一体化されて、前記開口部に装着可能な採血カートリッジを構成し、」を「
前記穿刺手段は、前記ハウジング内を往復するプランジャに一端を把持されるランセット、および前記ランセットの他端に装着される採血針を含み、
かつ前記ランセットが前記ホルダに固定された状態で、
　
前記採血カートリッジが、前記開口部に装着される際に、前記ランセットが前記プランジャに保持され、かつ前記ランセットと前記ホルダとの固定が解除されるように構成され、
　したがって、本件補正は，平成１８年法律第５５号改正附則第３条第１項によりなお従前の例によるとされる同法による改正前（以下，「平成１８年法改正前」という。）の特許法第１７条の２第４項第２号の特許請求の範囲の減縮を目的とするものに該当する。
　そこで、本件補正後の前記請求項１に係る発明（以下「補正発明」という。）が、特許出願の際独立して特許を受けることができるものであるか（平成１８年法改正前の特許法第１７条の２第５項において準用する同法第１２６条第５項の規定に適合するか）について以下に検討する。
　補正発明の「
前記開口部に装着される際に、前記ランセットが前記プランジャに保持され、かつ前記ランセットと前記ホルダとの固定が解除される
「【００２９】  また、採血カートリッジ２２の固定爪２３ｆ（ランセット２５を固定する）の固定解除は、採血カートリッジ２２が筒体２１ａに装着された時点で行われることが好ましい。」と記載はされているが、図３Ａから図３Ｈまでの工程においては、図３Ｃの段階で行われると、その後のカートリッジを押し込む段階で、ランセットは移動しないので、メカニカルスイッチ３８−１が第二ポジションにまで押圧されることが無く、負圧を発生させることはない。その結果、採血針２６がホルダ２３から飛び出してくることになり、負圧を発生させないで、単に指を傷つけることになると思われ、正常に行われるためには図３Ｅの段階で行われる必要がある。
図３Ａ
図３Ｂ
図３Ｃ
図３Ｄ
図３Ｅ
図３Ｆ
図３Ｇ
図３Ｈ
　そうすると、発明の詳細な説明には、補正後の「
前記開口部に装着される際に、前記ランセットが前記プランジャに保持され、かつ前記ランセットと前記ホルダとの固定が解除される
　してみると，補正後の請求項１に記載の発明は、発明の詳細な説明に記載されているものとはいえないので、特許法第３６条第６項第１号に違反するというべきである。
　したがって，本件補正は，特許法第３６条第６項第１号に規定する要件を満たしていないので、平成１８年法改正前の特許法第１７条の２第５項において準用する同法第１２６条第５項の規定に適合せず、特許出願の際独立して特許を受けることができないものである。
　よって、本件補正は，特許法第１５９条第１項において読み替えて準用する特許法第５３条第１項の規定により却下されるべきものである。　
　
第３　本願発明について　 
１　本願発明　 
　本件補正は、上記のとおり却下されることとなるので、本願の請求項１〜１５に係る発明は、平成２４年１月２５日付け手続補正書により補正された明細書の特許請求の範囲の請求項１〜１５に記載された事項により特定されるとおりのものであると認める。
　そして、本願については、原査定の拒絶理由で引用されたいずれの引用文献にも本願発明の「前記血液センサと前記穿刺手段とがホルダと一体化されて、前記開口部に装着可能な採血カートリッジを構成し」、「前記採血カートリッジの前記開口部の内部への移動によって、前記第一の検知手段が前記開口部前面への被穿刺部位の接触を検知し、かつ前記第一の検知手段が前記検知をしたときに前記負圧手段を起動させる」構成は記載されていないから、その理由によって拒絶すべきものとすることはできない。
　また、他に本願を拒絶すべき理由を発見しない。
　よって、結論のとおり審決する。